(57)【要約】【課題】ミキシング機能を有しない機器を用いてカラオケ等を手軽かつ廉価に楽めるようにし、本来のカラオケ等と同様の臨場感を得、かつ電力の利用効率を更に高める。【解決手段】アダプタ装置１は、マイクロホン３，４４からの信号に基づく音響信号を出力する増幅器４８を備える。アダプタ装置１は、そのプラグ３１及びジャック３２が機器２及びヘッドホン４にそれぞれ接続されたときに、機器２の増幅器１１Ｒ，１１Ｌからの左右の音響信号を抵抗器を介することなくヘッドホン４の左右のボイスコイル４Ｒ，４Ｌの一方端子に供給し、増幅器４８からの音響信号を抵抗器を介することなくボイスコイル４Ｒ，４Ｌの他方端子に供給し、増幅器１１Ｒ，１１Ｌの接地と増幅器４８の接地とを少なくとも交流的に接続する。【選択図】図１
2007235916.tif 000002
【特許請求の範囲】
【請求項１】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、
前記第１の音響信号の各チャネル信号及び前記第２の音響信号を前記電気音響変換器セットの前記各電気音響変換器上で直に合成することを特徴とするアダプタ装置。
【請求項２】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、
前記第１の音響信号の各チャネル信号及び前記第２の音響信号を前記電気音響変換器セットの前記各電気音響変換器上で直に合成することを特徴とするアダプタ装置。
【請求項３】
前記第２の増幅器への電源供給のオンオフと、前記電気音響変換器セットの前記各電気音響変換器の前記他方の端子に対する前記第２の接続部における接続箇所と前記第２の増幅器の接地との間の少なくとも交流的な接続のオンオフとを、相補的に連動して切り替える切替器を、備えたことを特徴とする請求項１又は２記載のアダプタ装置。
【請求項４】
前記第２の増幅器への電源供給のオンオフと、前記電気音響変換器セットの前記各電気音響変換器の前記他方の端子に対する前記第２の接続部における接続箇所と前記第２の増幅器の接地との間の、所定インピーダンスを持つインピーダンス手段を介した接続のオンオフとを、相補的に連動して切り替える切替器を、備え、
前記所定インピーダンスが前記第２の増幅器の作動中の出力インピーダンスと略同じであることを特徴とする請求項１又は２記載のアダプタ装置。
【請求項５】
前記切替器がショーティング型の切替スイッチであることを特徴とする請求項３又は４記載のアダプタ装置。
【請求項６】
本体をなす筐体と、該筐体に設けられた第３の接続部に基端側が接続されるかあるいは前記筐体から導出されたケーブルと、を備え、
前記第１及び第２の接続部は前記筐体外に配置され、
前記第１及び第２の接続部は、前記ケーブルに対して直接的又は間接的に機械的に連結されたことを特徴とする請求項１乃至５のいずれかに記載のアダプタ装置。
【請求項７】
前記第２の接続部に前記電気音響変換器セットが接続されたときに、前記電気音響変換器セットの前記複数の電気音響変換器とそれぞれ並列に接続される複数の抵抗器を、備えたことを特徴とする請求項１乃至６のいずれかに記載のアダプタ装置。
【請求項８】
前記第１の接続部に前記機器が接続されたときに、前記複数の第１の増幅器の出力端子と前記第２の増幅器の接地との間に少なくとも交流的にそれぞれ接続される複数の抵抗器を、備えたことを特徴とする請求項１乃至７のいずれかに記載のアダプタ装置。
【請求項９】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく又は電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく又は電気抵抗手段を介して前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、
前記第１の音響信号の各チャネル信号及び前記第２の音響信号を前記電気音響変換器セットの前記各電気音響変換器上で直に合成し、
前記第２の増幅器への電源供給のオンオフと、前記電気音響変換器セットの前記各電気音響変換器の前記他方の端子に対する前記第２の接続部における接続箇所と前記第２の増幅器の接地との間の少なくとも交流的な接続のオンオフとを、相補的に連動して切り替える切替器を、備えたことを特徴とするアダプタ装置。
【請求項１０】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく又は電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく又は電気抵抗手段を介して前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、
前記第１の音響信号の各チャネル信号及び前記第２の音響信号を前記電気音響変換器セットの前記各電気音響変換器上で直に合成し、
前記第２の増幅器への電源供給のオンオフと、前記電気音響変換器セットの前記各電気音響変換器の前記他方の端子に対する前記第２の接続部における接続箇所と前記第２の増幅器の接地との間の、所定インピーダンスを持つインピーダンス手段を介した接続のオンオフとを、相補的に連動して切り替える切替器を、備え、
前記所定インピーダンスが前記第２の増幅器の作動中の出力インピーダンスと略同じであることを特徴とするアダプタ装置。
【請求項１１】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介して前記電気音響変換器セットの前記各電気音響変換器の前記一方の端子に供給されるように、前記第２の増幅器と前記第２の接続部との間を連係させる手段と、前記電気音響変換器セットの前記各電気音響変換器の他方端子、前記第１の増幅器の接地及び第２の増幅器の接地を互いに少なくとも交流的に接続する手段と、を含み、
前記第１の音響信号の各チャネル信号及び前記第２の音響信号を前記電気音響変換器セットの前記各電気音響変換器上で直に合成し、
前記第２の増幅器への電源供給のオンオフと、前記第２の増幅器の出力部と前記第２の増幅器の接地との間の少なくとも交流的な接続のオンオフとを、相補的に連動して切り替える切替器を、備えたことを特徴とするアダプタ装置。
【請求項１２】
複数チャネルステレオ信号からなる第１の音響信号を出力する機器と共に用いられるアダプタ装置であって、
前記機器に接続される第１の接続部と、
複数チャネルにそれぞれ対応した複数の電気音響変換器を有する電気音響変換器セットに接続される第２の接続部と、
前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、
前記第２の音響信号を出力する第２の増幅器と、
を備え、
前記機器は、前記第１の音響信号を出力し前記複数チャネルにそれぞれ対応した複数の第１の増幅器を含み、
前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介して前記電気音響変換器セットの前記各電気音響変換器の前記一方の端子に供給されるように、前記第２の増幅器と前記第２の接続部との間を連係させる手段と、前記電気音響変換器セットの前記各電気音響変換器の他方端子、前記第１の増幅器の接地及び第２の増幅器の接地を互いに少なくとも交流的に接続する手段と、を含み、
前記第１の音響信号の各チャネル信号及び前記第２の音響信号を前記電気音響変換器セットの前記各電気音響変換器上で直に合成し、
前記第２の増幅器への電源供給のオンオフと、前記第２の増幅器の出力部と前記第２の増幅器の接地との間の、所定インピーダンスを持つインピーダンス手段を介した接続のオンオフとを、相補的に連動して切り替える切替器を、備え、
前記所定インピーダンスが前記第２の増幅器の作動中の出力インピーダンスと略同じであることを特徴とするアダプタ装置。
【請求項１３】
前記切替器がショーティング型の切替スイッチであることを特徴とする請求項９乃至１２のいずれかに記載のアダプタ装置。
【発明の詳細な説明】
【技術分野】
【０００１】
本発明は、音響信号を出力する機器と共に用いられるアダプタ装置に関するものである。
【背景技術】
【０００２】
従来から、ヘッドホン等による音楽聴取機能を有し音響信号をヘッドホンジャック等から出力する種々の携帯機器やその他の機器が提供されている。なお、このような携帯機器としては、例えば、携帯電話機、半導体メモリ等を用いたオーディオプレーヤ、携帯型パーソナルコンピュータ、カセットテープやＭＤやＣＤ等の再生専用機や録音再生機などを、挙げることができる。
【０００３】
このような機器を用いて、例えば、カラオケ楽曲パートを聴取しつつ音声パートを歌唱して楽しむ場合には、カラオケ楽曲パートを、当該携帯機器のヘッドホンジャックに接続したヘッドホンや当該携帯機器等の内部スピーカで鳴らし、それに合わせ肉声（マイク無し）で歌っていた。
【０００４】
しかし、この場合、手軽に楽しむことができる反面、音声パートに関しては単に自分の肉声がそのまま聞こえるのみで、カラオケ楽曲パートと歌唱音声パートの効果的な結合ができないため、本来のカラオケと同様の臨場感を得ることは不可能であった。このため、カラオケの楽しみが大きく減殺されていた。
【０００５】
そこで、下記の特許文献１には、カラオケの楽曲パートを出力する再生機器と共に用いられ、該機器からの楽曲信号（第１の音響信号）及びマイクからの音声信号（第２の音響信号）を、それぞれ抵抗器を介して電気音響変換器に供給し、楽曲信号及び音声信号を電気音響変換器上で直に合成するアダプタ装置が提案されている。
【０００６】
この従来のアダプタ装置によれば、ミキシング機能を有していない一般の機器を用いつつ、例えばカラオケ等を手軽かつ廉価に楽しむことができると同時に、例えば本来のカラオケ等と同様の臨場感を得ることができ、しかも消費電力及びコストを低減することができる。
【特許文献１】特開２００５−４３４９２号公報
【発明の開示】
【発明が解決しようとする課題】
【０００７】
しかしながら、前記従来のアダプタ装置では、第１及び第２の音響信号を電気音響変換器上で直に合成するためには、第１及び第２の音響信号をそれぞれ抵抗器を介して前記電気音響変換器に供給することが不可欠であるとされていた。このため、前記従来のアダプタ装置では、消費電力を低減することができるとはいえ、前記第１及び第２の音響信号の電力のかなりの部分（例えば半分以上）が前記抵抗器により消費されてしまうので、電力の利用効率が必ずしも理想的なものではなく、得られる音量は理想的な場合に比べると例えば３ｄＢ程度低下してしまう。携帯音響機器においては電力節約のため、最大音量は実用最低限に設計されている事が多い為、上記の音量低下はアダプタ装置使用時の音量を実用限界以下に落としてしまう場合があったので、この低下を最小にすることができればそのメリットは極めて大きい。
【０００８】
また、携帯機器などに用いるアダプタ装置では電力の制約が著しいので、電力の利用効率を前記従来のアダプタ装置に比べて更に高めることができれば、そのメリットは極めて大きい。
【０００９】
また、前記従来のアダプタ装置において採用されている電源スイッチ機構では、当該アダプタ装置が電源断の状態においても、当該アダプタ装置が機器に接続されたままであると、前記抵抗器により前記第１の音響信号（機器が出力する音響信号）の電力の一部が消費されてしまう。このため、前記従来のアダプタ装置が、例えば、電池により作動する携帯機器等と接続されている場合、当該アダプタ装置の電源スイッチが切られていても、当該アダプタ装置を接続しない時と同じ音量を当該携帯機器等で再生しようとすると、当該携帯機器等の駆動時間が短くなってしまうなどの不都合が生ずる。
【００１０】
更に、前記従来のアダプタ装置では、前記第２の音響信号（マイク等からの音響信号）の増幅器の電源を断とした場合、該増幅器として半導体を使用した場合、その非線形性により前記第１の音響信号が歪んでしまったり、前記第１の音響信号が複数チャンネルステレオ信号である場合に、電源断により高インピーダンスとなった当該増幅器によって、チャネル間のクロストークが著しく増加したりする。
【００１１】
また、前記従来のアダプタ装置では、電源のオン・オフ時に前記第２の音響信号（マイク等からの音響信号）の増幅器を通じて生ずるクリック雑音を発生することがあり、これを低減させるためには、一時的に前記第２の音響信号の増幅器を休止させる等の特別な抑制回路を追加する必要があり、余分なコストを要する。
【００１２】
本発明は、このような事情に鑑みてなされたもので、ミキシング機能を有していない一般の機器を用いつつ、例えばカラオケ等を手軽かつ廉価に楽しむことができると同時に、例えば本来のカラオケ等と同様の臨場感を得ることができ、しかも前記従来のアダプタ装置に比べて電力の利用効率を更に高めることができるアダプタ装置を提供することを目的とする。
【００１３】
また、本発明は、ミキシング機能を有していない一般の機器を用いつつ、例えばカラオケ等を手軽かつ廉価に楽しむことができると同時に、例えば本来のカラオケ等と同様の臨場感を得ることができ、しかも前記従来のアダプタ装置に比べて電力の利用効率を更に高めることができ、その上、電源の断に伴う信号の歪みを低減したり、チャネル間のクロストークを防止したり、特別な抑制回路を用いることなく電源のオン・オフ時のクリック雑音を低減したりすることができるアダプタ装置を提供することを目的とする。
【課題を解決するための手段】
【００１４】
本発明者は、研究の結果、前記従来のアダプタ装置と同様に第１及び第２の音響信号を電気音響変換器上で直に合成する場合であっても、構成によっては、従来不可欠であるとされていた抵抗器等の電気抵抗手段（第１の音響信号を電気音響変換器へ供給する経路に介在された電気抵抗手段、及び、第２の音響信号を前記電気音響変換器へ供給する経路に介在された電気抵抗手段）を取り除くことができることを見出した。前記２つ経路のうちの少なくとも一方の経路に電気抵抗手段が介在していなければ、当該電気抵抗手段で消費されていた無駄な電力が低減され、前記従来のアダプタ装置に比べて更に電力の利用効率を高めることができる。本発明は、本発明者によるこのような新たな知見に基づいてなされたものである。
【００１５】
本発明の第１の態様によるアダプタ装置は、複数チャネルステレオ信号からなる第１の音響信号を出力する機器と共に用いられるアダプタ装置であって、前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、前記第１の音響信号の各チャネル信号及び前記第２の音響信号を前記電気音響変換器セットの前記各電気音響変換器上で直に合成するものである。
【００１６】
この第１の態様によれば、前記従来のアダプタ装置と同様に、ミキシング機能を有していない機器に対してミキシング機能を付加することができる。したがって、この第１の態様によれば、ミキシング機能を有していない一般の機器を用いつつ、例えばカラオケ等を手軽かつ廉価に楽しむことができると同時に、例えば本来のカラオケ等と同様の臨場感を得ることができる。
【００１７】
そして、前記第１の態様では、前述した知見に基づいて、前記複数の第１の増幅器から出力される前記第１の音響信号の各チャネル信号が前記電気音響変換器セットの前記各電気音響変換器の一方の端子に供給される第１の経路、及び、前記第２の増幅器から出力される前記第２の音響信号が前記電気音響変換器セットの前記各電気音響変換器の他方の端子に供給される第２の経路には、電気抵抗手段が介在していない。
【００１８】
したがって、前記第１の態様によれば、前記電気抵抗手段による無駄な電力消費が防止されるので、前記従来のアダプタ装置に比べて、電力の利用効率を更に高めることができる。
【００１９】
なお、前記機器は、携帯機器でもよいし、据え置き型の機器でもよい。前記電気音響変換器は、例えば、ヘッドホンのボイスコイルでもよいし、スピーカでもよい。これらの点は、後述する各態様についても同様である。
【００２０】
本発明の第２の態様によるアダプタ装置は、複数チャネルステレオ信号からなる第１の音響信号を出力する機器と共に用いられるアダプタ装置であって、前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、前記第１の音響信号の各チャネル信号及び前記第２の音響信号を前記電気音響変換器セットの前記各電気音響変換器上で直に合成するものである。
【００２１】
この第２の態様によれば、前記従来のアダプタ装置と同様に、ミキシング機能を有していない機器に対してミキシング機能を付加することができる。したがって、この第１の態様によれば、ミキシング機能を有していない一般の機器を用いつつ、例えばカラオケ等を手軽かつ廉価に楽しむことができると同時に、例えば本来のカラオケ等と同様の臨場感を得ることができる。
【００２２】
そして、前記第２の態様では、前記複数の第１の増幅器から出力される前記第１の音響信号の各チャネル信号が前記電気音響変換器セットの前記各電気音響変換器の一方の端子に供給される第１の経路には、電気抵抗手段が介在しているものの、前述した知見に基づいて、前記第２の増幅器から出力される前記第２の音響信号が前記電気音響変換器セットの前記各電気音響変換器の他方の端子に供給される前記第２の経路には、電気抵抗手段が介在していない。
【００２３】
したがって、前記第２の態様によれば、前記電気抵抗手段による無駄な電力消費が低減されるので、前記従来のアダプタ装置に比べて、電力の利用効率を更に高めることができる。
【００２４】
また、前記第２の態様によれば、前記第１の経路に電気抵抗手段が介在しているので、前記第１の音響信号を出力する前記機器から誤って過大な信号電力が加えられた場合に、当該アダプタ装置内の前記第２の増幅器を破壊から保護することができる。なお、電力の利用効率をより高めるためには、前記第１の経路に介在する電気抵抗手段の抵抗値は、前記保護機能がある程度得られる範囲内で、できるだけ低い値にすることが好ましい。
【００２５】
本発明の第３の態様によるアダプタ装置は、前記第１又は第２の態様において、前記第２の増幅器への電源供給のオンオフと、前記電気音響変換器セットの前記各電気音響変換器の前記他方の端子に対する前記第２の接続部における接続箇所と前記第２の増幅器の接地との間の少なくとも交流的な接続のオンオフとを、相補的に連動して切り替える切替器を、備えたものである。
【００２６】
この第３の態様によれば、切替器により前記第２の増幅器への電源供給をオンオフすることで、前記第２の増幅器の作動がオンオフされるので、第２の音響信号が示す第２の音響を選択的にオンオフすることができる。すなわち、前記切替器を切り替えることで、第１の音響信号が示す第１の音響と第２の音響信号が示す第２の音響とを合成した合成音が電気音響変換器から発する状態と、第１の音響信号が示す第１の音響のみが電気音響変換器から発する状態とを、切り替えることができる。したがって、例えば、前記第１の音響信号をカラオケの楽曲パートの楽曲信号とし前記第２の音響信号をマイクからの音声信号とした場合、前記切替器の操作により、該アダプタ装置の電源のオンオフと、カラオケ再生中のマイクのオンオフとを同時に行うことができ、使い勝手が良いとともに、無駄な電力を消費することがない。
【００２７】
また、前記第３の態様によれば、前記第２の経路に電気抵抗手段が介在していないので、当該アダプタ装置が前記機器に接続されたままであっても、前記切替器の操作により前記第２の増幅器への電源供給をオフにした場合において、その電気抵抗手段によって前記第１の音響信号の一部が消費されてしまうようなことがない。したがって、当該アダプタ装置が、例えば、電池により作動する携帯機器等と接続されている場合、当該アダプタ装置において前記切替器により前記第２の増幅器への電源が切られていても、当該アダプタ装置を接続しない時と同じ音量を当該携帯機器等で再生するときに当該携帯機器等の駆動時間はほとんど短くならない。
【００２８】
さらに、前記第３の態様によれば、前記切替器により前記第２の増幅器への電源供給をオフすると、これに連動して、前記電気音響変換器セットの前記各電気音響変換器の前記他方の端子に対する前記第２の接続部における接続箇所が、前記第２の増幅器の接地に少なくとも交流的に接続される。したがって、前記第２の増幅器の電源が断の場合であっても、前記第２の増幅器の非線形性により楽曲が歪んだりすることがなく、また、前記第１の音響信号に関してチャネル間のクロストークが生じることがなく、さらに、前記第１の音響信号の振幅が前記第２の増幅器の電源断の前後でほとんど変化しない。
【００２９】
本発明の第４の態様によるアダプタ装置は、前記第１又は第２の態様において、前記第２の増幅器への電源供給のオンオフと、前記電気音響変換器セットの前記各電気音響変換器の前記他方の端子に対する前記第２の接続部における接続箇所と前記第２の増幅器の接地との間の、所定インピーダンスを持つインピーダンス手段を介した接続のオンオフとを、相補的に連動して切り替える切替器を、備え、前記所定インピーダンスが前記第２の増幅器の作動中の出力インピーダンスと略同じであるものである。
【００３０】
この第４の態様によっても、前記第３の態様と同様の利点が得られる。また、この第４の態様では、前記インピーダンス手段が設けられているので、前記第１の音響信号の振幅の、前記第２の増幅器の電源断の前後の変化は、前記第３の態様に比べてより一層小さくなる。
【００３１】
本発明の第５の態様によるアダプタ装置は、前記第３又は第４の態様において、前記切替器がショーティング型の切替スイッチであるものである。前記ショーティング型の切替スイッチとしては、例えば、ショーティング型の単極双投スイッチを用いることができる。
【００３２】
この第５の態様によれば、前記切替器としてショーティング型の切替スイッチが用いられているので、一時的に前記第２の音響信号の増幅器を休止させる等の特別な抑制回路を追加することなく、前記切替器の切替時のノイズを抑制することができる。
【００３３】
本発明の第６の態様によるアダプタ装置は、前記第１乃至第５のいずれかの態様において、本体をなす筐体と、該筐体に設けられた第３の接続部に基端側が接続されるかあるいは前記筐体から導出されたケーブルと、を備え、前記第１及び第２の接続部は前記筐体外に配置され、前記第１及び第２の接続部は、前記ケーブルに対して直接的又は間接的に機械的に連結されたものである。
【００３４】
この第６の態様では、第１及び第２の外部接続部の配線のために前記筐体から出るケーブルの本数が１本ですむ。したがって、前記第５の態様によれば、使用時の外観やケーブルの取り回しが良くなり、また、タッチノイズ（ケーブルやマイク本体に機械的に触れた時にその振動がマイクカプセルに伝わることで生ずる雑音）なども低減される。
【００３５】
本発明の第７の態様によるアダプタ装置は、前記第１乃至第６のいずれかの態様において、前記第２の接続部に前記電気音響変換器セットが接続されたときに、前記電気音響変換器セットの前記複数の電気音響変換器とそれぞれ並列に接続される複数の抵抗器を、備えたものである。
【００３６】
この第７の態様によれば、当該アダプタ装置を、前記機器や前記電気音響変換器セットに接続せずに単独で使う場合、前記複数の抵抗器を備えていることで、前記第１の接続部を前記第２の音響信号の出力部として使用することができ、利便性を向上できる。
【００３７】
前記第７の態様で用いられる抵抗器の電気抵抗値は、対応する電気音響変換器のインピーダンス（例えば１６オーム）に比べて十分に大きい値（例えば１０００オーム）に設定して差し支えないので、この抵抗器による前記第１及び第２の音響信号の電力損失は無視できる程度に少なくすることができる。
【００３８】
本発明の第８の態様によるアダプタ装置は、前記第１乃至第７のいずれかの態様において、前記第１の接続部に前記機器が接続されたときに、前記複数の第１の増幅器の出力端子と前記第２の増幅器の接地との間に少なくとも交流的にそれぞれ接続される複数の抵抗器を、備えたものである。
【００３９】
この第８の態様によれば、前記複数の抵抗器を備えていることで、前記機器が接続されていない場合であっても、前記第２の音響信号が示す音響を、電気音響変換器セットにより聞くことができる。
【００４０】
前記第８の態様で用いられる抵抗器の電気抵抗値は、対応する前記第１の増幅器の内部インピーダンス（例えば１オーム）に比べて十分に大きい値（例えば１００オーム）に設定して差し支えないので、この抵抗器による前記第１及び第２の音響信号の電力損失は無視できる程度に少なくすることができる。
【００４１】
本発明の第９の態様によるアダプタ装置は、複数チャネルステレオ信号からなる第１の音響信号を出力する機器と共に用いられるアダプタ装置であって、前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく又は電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく又は電気抵抗手段を介して前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、前記第１の音響信号の各チャネル信号及び前記第２の音響信号を前記電気音響変換器セットの前記各電気音響変換器上で直に合成し、前記第２の増幅器への電源供給のオンオフと、前記電気音響変換器セットの前記各電気音響変換器の前記他方の端子に対する前記第２の接続部における接続箇所と前記第２の増幅器の接地との間の少なくとも交流的な接続のオンオフとを、相補的に連動して切り替える切替器を、備えたものである。
【００４２】
この第９の態様によれば、切替器により前記第２の増幅器への電源供給をオンオフすることで、前記第２の増幅器の作動がオンオフされるので、第２の音響信号が示す第２の音響を選択的にオンオフすることができる。すなわち、前記切替器を切り替えることで、第１の音響信号が示す第１の音響と第２の音響信号が示す第２の音響とを合成した合成音が電気音響変換器から発する状態と、第１の音響信号が示す第１の音響のみが電気音響変換器から発する状態とを、切り替えることができる。したがって、例えば、前記第１の音響信号をカラオケの楽曲パートの楽曲信号とし前記第２の音響信号をマイクからの音声信号とした場合、前記切替器の操作により、該アダプタ装置の電源のオンオフと、カラオケ再生中のマイクのオンオフとを同時に行うことができ、使い勝手が良いとともに、無駄な電力を消費することがない。
【００４３】
また、前記第９の態様によれば、前記切替器により前記第２の増幅器への電源供給をオフすると、これに連動して、前記電気音響変換器セットの前記各電気音響変換器の前記他方の端子に対する前記第２の接続部における接続箇所が、前記第２の増幅器の接地に少なくとも交流的に接続される。したがって、前記第２の増幅器の電源が断の場合であっても、前記第２の増幅器の非線形性により楽曲が歪んだりすることがなく、また、前記第１の音響信号に関してチャネル間のクロストークが生じることがなく、さらに、前記第１の音響信号の振幅が前記第２の増幅器の電源断の前後でほとんど変化しない。
【００４４】
本発明の第１０の態様によるアダプタ装置は、複数チャネルステレオ信号からなる第１の音響信号を出力する機器と共に用いられるアダプタ装置であって、前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介することなく又は電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介することなく又は電気抵抗手段を介して前記電気音響変換器セットの前記各電気音響変換器の他方の端子に供給されるように、前記第２の増幅器と前記第２の接続部との間を連係させる手段と、前記複数の第１の増幅器の接地と前記第２の増幅器の接地との間を少なくとも交流的に接続する手段と、を含み、前記第１の音響信号の各チャネル信号及び前記第２の音響信号を前記電気音響変換器セットの前記各電気音響変換器上で直に合成し、前記第２の増幅器への電源供給のオンオフと、前記電気音響変換器セットの前記各電気音響変換器の前記他方の端子に対する前記第２の接続部における接続箇所と前記第２の増幅器の接地との間の、所定インピーダンスを持つインピーダンス手段を介した接続のオンオフとを、相補的に連動して切り替える切替器を、備え、前記所定インピーダンスが前記第２の増幅器の作動中の出力インピーダンスと略同じであるものである。
【００４５】
この第１０の態様によっても、前記第９の態様と同様の利点が得られる。また、この第１０の態様では、前記インピーダンス手段が設けられているので、前記第１の音響信号の振幅の、前記第２の増幅器の電源断の前後の変化は、前記第９の態様に比べてより一層小さくなる。
【００４６】
本発明の第１１の態様によるアダプタ装置は、複数チャネルステレオ信号からなる第１の音響信号を出力する機器と共に用いられるアダプタ装置であって、
【００４７】
前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介して前記電気音響変換器セットの前記各電気音響変換器の前記一方の端子に供給されるように、前記第２の増幅器と前記第２の接続部との間を連係させる手段と、前記電気音響変換器セットの前記各電気音響変換器の他方端子、前記第１の増幅器の接地及び第２の増幅器の接地を互いに少なくとも交流的に接続する手段と、を含み、前記第１の音響信号の各チャネル信号及び前記第２の音響信号を前記電気音響変換器セットの前記各電気音響変換器上で直に合成し、前記第２の増幅器への電源供給のオンオフと、前記第２の増幅器の出力部と前記第２の増幅器の接地との間の少なくとも交流的な接続のオンオフとを、相補的に連動して切り替える切替器を、備えたものである。
【００４８】
この第１１の態様によれば、切替器により前記第２の増幅器への電源供給をオンオフすることで、前記第２の増幅器の作動がオンオフされるので、第２の音響信号が示す第２の音響を選択的にオンオフすることができる。すなわち、前記切替器を切り替えることで、第１の音響信号が示す第１の音響と第２の音響信号が示す第２の音響とを合成した合成音が電気音響変換器から発する状態と、第１の音響信号が示す第１の音響のみが電気音響変換器から発する状態とを、切り替えることができる。したがって、例えば、前記第１の音響信号をカラオケの楽曲パートの楽曲信号とし前記第２の音響信号をマイクからの音声信号とした場合、前記切替器の操作により、該アダプタ装置の電源のオンオフと、カラオケ再生中のマイクのオンオフとを同時に行うことができ、使い勝手が良いとともに、無駄な電力を消費することがない。
【００４９】
また、前記第１１の態様によれば、前記切替器により前記第２の増幅器への電源供給をオフすると、これに連動して、前記第２の増幅器の出力部と前記第２の増幅器の接地との間が、少なくとも交流的に接続される。したがって、前記第２の増幅器の電源が断の場合であっても、前記第２の増幅器の非線形性により楽曲が歪んだりすることがなく、また、前記第１の音響信号に関してチャネル間のクロストークが生じることがなく、さらに、前記第１の音響信号の振幅が前記第２の増幅器の電源断の前後でほとんど変化しない。
【００５０】
本発明の第１２の態様によるアダプタ装置は、複数チャネルステレオ信号からなる第１の音響信号を出力する機器と共に用いられるアダプタ装置であって、前記機器に接続される第１の接続部と、複数チャネルにそれぞれ対応した複数の電気音響変換器を有する電気音響変換器セットに接続される第２の接続部と、前記第１及び第２の接続部に前記機器及び前記電気音響変換器セットがそれぞれ接続されたときに、前記第１の音響信号が示す第１の音響と単一チャネル信号からなる第２の音響信号が示す第２の音響とを合成した、複数チャネルステレオ音からなる合成音を、前記電気音響変換器セットに発生させる回路と、前記第２の音響信号を出力する第２の増幅器と、を備え、前記機器は、前記第１の音響信号を出力し前記複数チャネルにそれぞれ対応した複数の第１の増幅器を含み、前記回路は、前記第１及び第２の接続部に前記機器及び前記電気音響変換器セットがそれぞれ接続されたときに、前記複数の第１の増幅器から出力される前記第１の音響信号の各チャネル信号が電気抵抗手段を介して前記電気音響変換器セットの前記各電気音響変換器の一方の端子に供給されるように、前記第１及び第２の接続部間を連係させる手段と、前記第２の増幅器から出力される前記第２の音響信号が電気抵抗手段を介して前記電気音響変換器セットの前記各電気音響変換器の前記一方の端子に供給されるように、前記第２の増幅器と前記第２の接続部との間を連係させる手段と、前記電気音響変換器セットの前記各電気音響変換器の他方端子、前記第１の増幅器の接地及び第２の増幅器の接地を互いに少なくとも交流的に接続する手段と、を含み、前記第１の音響信号の各チャネル信号及び前記第２の音響信号を前記電気音響変換器セットの前記各電気音響変換器上で直に合成し、前記第２の増幅器への電源供給のオンオフと、前記第２の増幅器の出力部と前記第２の増幅器の接地との間の、所定インピーダンスを持つインピーダンス手段を介した接続のオンオフとを、相補的に連動して切り替える切替器を、備え、前記所定インピーダンスが前記第２の増幅器の作動中の出力インピーダンスと略同じであるものである。
【００５１】
この第１２の態様によっても、前記第１１の態様と同様の利点が得られる。また、この第１２の態様では、前記インピーダンス手段が設けられているので、前記第１の音響信号の振幅の、前記第２の増幅器の電源断の前後の変化は、前記第１１の態様に比べてより一層小さくなる。
【００５２】
本発明の第１３の態様によるアダプタ装置は、前記第９乃至第１２のいずれかの態様において、前記切替器がショーティング型の切替スイッチであるものである。前記ショーティング型の切替スイッチとしては、例えば、ショーティング型の単極双投スイッチを用いることができる。
【００５３】
この第１３の態様によれば、前記切替器としてショーティング型の切替スイッチが用いられているので、一時的に前記第２の音響信号の増幅器を休止させる等の特別な抑制回路を追加することなく、前記切替器の切替時のノイズを抑制することができる。
【００５４】
なお、本発明では、前記第１乃至第１３のいずれかの態様において、例えば、以下に説明するようにしてもよい。
【００５５】
（１）前記第１乃至第１３のいずれかの態様において、外部マイクロホンが接続される第４の接続部を備え、前記第２の増幅器は、前記外部マイクロホンが前記第４の接続部に接続されたときに、前記外部マイクロホンの出力信号に基づく信号を増幅して前記第２の音響信号を出力してもよい。この場合、前記機器からの音響信号が示す音響と外部マイクロホンからの信号に基づく音響信号が示す音響とを合成することができるので、外部マイクロホンを用いて手軽にカラオケを楽しむことができるとともに、本来のカラオケと同様の臨場感を得ることができる。
【００５６】
（２）前記第１乃至第１３のいずれかの態様において、内部マイクロホンを備え、前記第２の増幅器は、前記内部マイクロホンの出力信号に基づく信号を増幅して前記第２の音響信号を出力してもよい。この場合も、前記（１）と同様の利点が得られる。
【００５７】
（３）前記第１乃至第１３のいずれかの態様において、外部マイクロホンが接続される第４の接続部と、内部マイクロホンとを備え、前記第２の増幅器は、前記外部マイクロホン及び前記内部マイクロホンのうちの選択された一方のマイクロホンの出力信号に基づく信号を増幅して前記第２の音響信号を出力してもよい。  この場合、前記（１），（２）と同様の利点が得られるが、内部マイクロホン及び外部マイクロホンを選択的に利用できるので、使い勝手が向上する。
【００５８】
（４）前記（１）〜（３）のいずれかの場合において、前記外部マイクロホン又は前記内部マイクロホンの出力信号に対して音響効果を付与した信号を出力する音響効果付与回路を備え、前記第２の増幅器は、前記音響効果付与回路の出力信号を増幅して前記第２の音響信号を出力してもよい。前記音響効果付与回路が付与する音響効果の例として、エコー、声質変換（ボイスチェンジ）、いわゆるハモリ効果などを挙げることができる。前記音響効果付与回路は、これらのうちの１つの効果を付与するように構成してもよいし、使用者の操作に応じて複数の効果のうちから選択した効果を付与するように構成してもよい。この場合、音声に対して音響効果が付与されるので、本来のカラオケに一層近い臨場感を得たり、当該音響効果を楽しんだりすることができる。
【００５９】
（５）前記第１乃至第１３のいずれかの態様において、あるいは、前記（１）〜（４）のいずれかの場合において、前記機器以外の外部機器であって前記第２の音響信号を出力する外部機器に接続される第５の接続部を備えてもよい。この場合、例えば、前記外部機器として各種電子楽器を用いれば、前記機器で当該楽器以外のパートの楽音パート等を発生させることで、当該楽音パートとの合奏等を楽しんだり当該楽器を効果的に練習したりすることができる。
【００６０】
（６）前記第１乃至第１３のいずれかの態様において、あるいは、前記（１）〜（５）のいずれかの場合において、当該アダプタ装置は前記機器から給電されてもよい。この場合、当該アダプタ装置には電池等が不要となり、その取り扱いが容易となる。
【００６１】
（７）前記第１乃至第１３のいずれかの態様において、あるいは、前記（１）〜（５）のいずれかの場合において、当該アダプタ装置は、電池が搭載され、該電池から給電されてもよい。この場合、アダプタ装置が自身に搭載された電池から給電されるので、前記機器の電池等の電力を余分に消費することがなく、前記機器が電池で作動するものであっても、その駆動時間を延ばすことができる。また、アダプタ装置と前記機器との間で給電のためのインターフェースが不要となる。
【００６２】
（８）前記第３乃至第１２のいずれかの態様（ただし、第５の態様を除く）において、前記スイッチ手段で電源投入後の一定時間前記第２の増幅器の出力を抑制する手段を備えてもよい。この場合、第２の増幅器の出力が給電用スイッチの投入後の一定期間抑制されるので、給電用スイッチ投入時のポップ雑音が低減され、使用者に不快感を与えることがない。
【００６３】
（９）前記第１乃至第１３のいずれかの態様において、あるいは、前記（１）〜（８）のいずれかの場合において、前記第２の接続部を電気的に並列に複数設けてもよい。この場合、これらの第２の接続部にそれぞれ例えばヘッドホン等の電気音響変換器を接続することで、合成音を複数人で聴くことができる。前記第２の接続部が単一である場合には、例えば、ヘッドホンを利用してカラオケを歌っている人のみしかカラオケ楽曲パートを聴くことができず、他の人に対しては歌唱音声パートしか聞こえないという、不自然な状態となる。これに対し、（９）の場合は、歌っている本人のみならず他の人も合成音を聴くことができるので、前述したような不自然な状態を避けることができる。また、前記第２の接続部を用いて前記合成音を示す合成信号を外部アンプや録音機に供給することも可能であるが、（９）の場合は、前記第２の接続部が複数設けられているので、ヘッドホン等によるカラオケを楽しみつつ、そのカラオケの合成音を録音したり外部アンプや外部大型スピーカを利用してその合成音を拡声することも可能である。
【発明の効果】
【００６４】
本発明によれば、ミキシング機能を有していない一般の機器を用いつつ、例えばカラオケ等を手軽かつ廉価に楽しむことができると同時に、例えば本来のカラオケ等と同様の臨場感を得ることができ、しかも前記従来のアダプタ装置に比べて電力の利用効率を更に高めることができるアダプタ装置を提供することができる。
【００６５】
また、本発明は、ミキシング機能を有していない一般の機器を用いつつ、例えばカラオケ等を手軽かつ廉価に楽しむことができると同時に、例えば本来のカラオケ等と同様の臨場感を得ることができ、しかも前記従来のアダプタ装置に比べて電力の利用効率を更に高めることができ、その上、電源の断に伴う信号の歪みを低減したり、チャネル間のクロストークを防止したり、特別な抑制回路を用いることなく電源のオン・オフ時のクリック雑音を低減したりすることができるアダプタ装置を提供することができる。
【発明を実施するための最良の形態】
【００６６】
以下、本発明によるアダプタ装置について、図面を参照して説明する。
【００６７】
［第１の実施の形態］
【００６８】
図１は、本発明の第１の実施の形態によるアダプタ装置１、並びに、このアダプタ装置１と共に用いられる携帯機器２、外部マイクロホン３及びステレオヘッドホン４を示す回路図である。ただし、図１では、携帯機器２については、アダプタ装置１と関連する部分の回路のみを示している。図２は、図１に示すアダプタ装置１、携帯機器２、外部マイクロホン３及びステレオヘッドホン４の使用状態を示す概略図である。
【００６９】
図１に示す例では、携帯機器２は、２チャンネルステレオカラオケ楽曲再生機能付き携帯電話機として構成されている。もっとも、本発明では、携帯機器２は、半導体メモリ等を用いたオーディオプレーヤ、携帯型パーソナルコンピュータ、カセットテープやＭＤやＣＤ等の再生専用機や録音再生機などでもよいし、３チャネル以上のステレオ信号を出力するものでもよい。また、携帯機器２が出力する信号は、必ずしもカラオケ楽曲を示すものに限定されるものではない。さらに、本発明によるアダプタ装置は、携帯機器２に代えて、据え置き型の機器と共に用いてもよい。
【００７０】
携帯機器２は、図１に示すように、カラオケ楽曲等の右チャンネル信号（第１の音響信号のうちの右チャネル信号）を出力する増幅器１１Ｒと、カラオケ楽曲等の左チャンネル信号（第１の音響信号のうちの左チャネル信号）を出力する増幅器１１Ｌと、携帯機器２の電源となる電池１２と、接続部としてのジャック１３とを備えている。増幅器１１Ｒ，１１Ｌは、電池１２からの電源電圧＋ＶＤ１により作動する。ジャック１３は、端子１３ｂ〜１３ｄを有している。増幅器１１Ｒ，１１Ｌの基準端子が接地されるとともに、増幅器１１Ｒ，１１Ｒの電源端子に電源電圧＋ＶＤ１が印加され、これにより、増幅器１１Ｒ，１１Ｌは接地電位を基準としてほぼ０Ｖから＋ＶＤ１の範囲のレベルの信号を出力し得るようになっている。増幅器１１Ｒ，１１Ｌの出力端は、直流阻止用コンデンサ１４Ｒ，１４Ｌをそれぞれ介して、端子１３ｂ，１３ｄにそれぞれ接続されている。端子１３ｃは、携帯機器２内の接地ラインに接続されている。
【００７１】
以上の説明からわかるように、増幅器１１Ｒから出力された右チャンネル信号は、コンデンサ１４Ｒを介して、ジャック１３の端子１３ｂから外部へ出力される。また、増幅器１１Ｌから出力された左チャンネル信号は、コンデンサ１４Ｌを介して、ジャック１３の端子１３ｄから外部へ出力される。
【００７２】
外部マイクロホン３は、図１及び図２に示すように、マイクロホンケーブル２１の一端に設けられたマイクロホン素子部２２と、マイクロホンケーブル２１の他端に設けられた接続部としてのプラグ２３とを有している。プラグ２３のプラグ端子２３ａは、マイクロホン素子部２２の一方端子に接続されている。プラグ２３のプラグ端子２３ｂは、マイクロホン素子部２２の他方端子に接続されている。
【００７３】
電気音響変換器セットとしてのステレオヘッドホン４は、図１及び図２に示すように、それぞれ電気音響変換器としての右チャンネル用のボイスコイル４Ｒ及び左チャンネル用のボイスコイル４Ｌと、ヘッドホンケーブル２５の基端に設けられた接続部としてのプラグ２６とを有している。プラグ２６は、端子２６ａ〜２６ｃを有している。ボイスコイル４Ｒの一方端子は端子２６ａに接続され、ボイスコイル４Ｌの一方端子は端子２６ｃに接続されている。ボイスコイル４Ｒ，４Ｌの他方端子は、端子２６ｂに共通に接続されている。
【００７４】
本実施の形態では、アダプタ装置１は、図１に示すように、携帯機器２のジャック１３に接続される第１の接続部としてのプラグ３１と、ステレオヘッドホン４のプラグ２６が接続される第２の接続部としてのジャック３２と、外部マイクロホン３のプラグ２３が接続される第４の接続部としてのジャック３３とを備えている。
【００７５】
プラグ３１は、携帯機器２のジャック１３に接続されたときに、ジャック１３の端子１３ｂ〜１３ｄとそれぞれ接続される端子３１ｂ〜３１ｄを有している。図１及び図２に示すように、アダプタ装置１の大部分の構成要素はアダプタ装置本体３０に設けられているが、この本体３０の筐体からケーブル（本実施の形態では、３芯ケーブル）３４が導出され、このケーブル３４の先端にプラグ３１が設けられている。ケーブル３４の基端側が本体内に導入されて各芯線が内部端子３５ｂ〜３５ｄにそれぞれ接続されており、これにより、プラグ３１の端子３１ｂ〜３１ｄが内部端子３５ｂ〜３５ｄにそれぞれ接続されている。なお、本実施の形態では、使用者はケーブル３４を本体３０から取り外せないようになっているが、例えば、ケーブル３４の基端側にプラグを設けるとともに、内部端子３５ｂ〜３５ｄに代えて、当該プラグに接続されるジャックを本体３０に設け、使用者がケーブル３４を本体３０に対して着脱し得るようにしてもよい。
【００７６】
ジャック３２は、ヘッドホン４のプラグ２６が接続されたときに、プラグ２６の端子２６ａ〜２６ｃとそれぞれ接続される端子３２ａ〜３２ｃを有している。
【００７７】
ジャック３３は、接地端子３３ａと、固定端子３３ｂと、開閉端子３３ｃとを有している。ジャック３３に外部マイクロホン３のプラグ２３が接続されていないときには、固定端子３３ｂと開閉端子３３ｃとが電気的に導通する一方、ジャック３３に外部マイクロホン３のプラグ２３が接続されているときには、固定端子３３ｂと開閉端子３３ｃとが不導通状態となる。また、ジャック３３に外部マイクロホン３のプラグ２３が接続されたときに、外部マイクロホン３のプラグ２３の端子２３ａ，２３ｂが接地端子３３ａ及び固定端子３３ｂにそれぞれ接続される。
【００７８】
アダプタ装置本体３０内において、各構成要素が次のように接続されている。
【００７９】
内部端子３５ｃは、アダプタ装置本体３０内の接地ラインに接続されている。したがって、プラグ３１が携帯機器２のジャック１３に接続されたときに、携帯機器２の接地とアダプタ装置本体３０内の接地とが共通に接続され、両者の接地が共通の接地電位となる。例えば、アダプタ装置本体３０内の接地ラインと内部端子３５ｃとの間にコンデンサを設けることにより、プラグ３１が携帯機器２のジャック１３に接続されたときに、携帯機器２の接地とアダプタ装置本体３０内の接地とが交流的に接続されるようにしてもよい。
【００８０】
アダプタ装置本体３０には、手動操作される切替スイッチ４１が設けられている。本実施の形態では、切替スイッチ４１として単極双投スイッチが用いられ、切替スイッチ４１は２つの切替端子４１ａ，４１ｂと１つの共通端子４１ｃを有している。切替スイッチ４１は、切替端子４１ａ側に切り替えられると、端子４１ａ，４１ｃ間が選択的に短絡された状態となる一方、切替端子４１ｂ側に切り替えられると、端子４１ｂ，４１ｃ間が選択的に短絡された状態となる。本実施の形態では、切替スイッチ４１としてノンショーティング型の単極双投スイッチが用いられ、切替端子４１の切り替え時に切替端子４１ａ，４１ｂ間が短絡しないようになっている。もっとも、後述するように、切替スイッチ４１として、切り替え操作時に一時的に端子４１ａ，４１ｂ，４１ｃが短絡するショーティング型の単極双投スイッチを用いてもよい。
【００８１】
切替スイッチ４１の共通端子４１ｃは、アダプタ装置本体３０内の接地ラインに接続されている。端子４１ｂは、例えばコンデンサを介して端子３２ｂのラインに接続することにより、当該接地ラインに交流的に接続してもよい。アダプタ装置本体３０内には電池５１が設けられており、一方の切替端子４１ａは電池５１の負極に接続されている。切替スイッチ４１が切替端子４１ａ側に切り替えられると、電池５１の電圧＋ＶＤ２がアダプタ装置本体３０内に供給される。後述するＡＬＣ（自動利得制御）回路４５、音響効果付与回路４７及び増幅器４８は、この電源電圧＋ＶＤ２を受けて作動するようになっている。
【００８２】
内部端子３５ｂ，３５ｄは、ジャック３２の端子３２ａ，３２ｃにそれぞれ接続されている。したがって、プラグ３１が携帯機器２のジャック１３に接続されかつヘッドホン４のプラグ２６がジャック３２に接続されたときに、携帯機器２の増幅器１１Ｒ，１１Ｌからそれぞれ出力される右チャンネル信号及び左チャンネル信号が、ヘッドホン４の右チャンネル用のボイスコイル４Ｒの一方端子及び左チャンネル用のボイスコイル４Ｌの一方端子にそれぞれ供給される。
【００８３】
このように、本実施の形態では、第１の接続部としてのプラグ３１の端子３１ｂから内部端子３５ｂを介して第２の接続部としてのジャック３２の端子３２ａへ至る接続路が、プラグ３１とジャック１３との間及びプラグ２６とジャック３２との間が接続されたときに、携帯機器２の増幅器１１Ｒから出力される右チャンネル信号が電気抵抗手段を介することなくヘッドホン４の右チャンネル用のボイスコイル４Ｒの一方端子に供給されるように、プラグ３１とジャック３２とを連係させる手段を構成している。同様に、第１の接続部としてのプラグ３１の端子３１ｄから内部端子３５ｄを介して第２の接続部としてのジャック３２の端子３２ｃへ至る接続路が、プラグ３１とジャック１３との間及びプラグ２６とジャック３２との間がそれぞれ接続されたときに、携帯機器２の増幅器１１Ｌから出力される左チャンネル信号が電気抵抗手段を介することなくヘッドホン４の左チャンネル用のボイスコイル４Ｌの一方端子に供給されるように、プラグ３１とジャック３２とを連係させる手段を構成している。
【００８４】
また、ジャック３２の端子３２ｂは、直流阻止用コンデンサ５０を介して増幅器４８の出力端子に接続されている。切替スイッチ４１の切替端子４１ｂは、ジャック３２の端子３２ｂに接続されている。したがって、切替スイッチ４１が切替スイッチ４１ｂ側に切り替えられたとき、すなわちアダプタ装置１の電源がオフのときは、ジャック３２の端子３２ｂ接地される。このとき、プラグ３１とジャック１３との間及びプラグ２６とジャック３２との間がそれぞれ接続されていると、携帯機器２の増幅器１１Ｒ，１１Ｌから出力される左右のチャネル信号が、直接ヘッドホン４に損失無く伝送される。
【００８５】
先の説明からわかるように、本実施の形態では、増幅器４８の出力端子からコンデンサ５０を介して第２の外部接続部としてのジャック３２の端子３２ｂまで接続された部分が、ジャック３２とヘッドホン４のプラグ２６との間が接続されたときに、増幅器４８から出力される第２の音響信号が電気抵抗手段を介することなくヘッドホン４の右チャンネル用及び左チャンネル用のボイスコイル４Ｒ，４Ｌの他方端子に供給されるように、増幅器４８とジャック３２との間を連係させる手段を構成している。
【００８６】
さらに、ジャック３３の接地端子３３ａは接地されている。ジャック３３の開閉端子３３ｃは、内部マイクロホン４４の一方端子に接続されている。内部マイクロホン４４の他方端子は接地されている。ジャック３３の固定端子３３ｂは、ＡＬＣ回路４５の入力端子に接続されている。したがって、外部マイクロホン３のプラグ２３がジャック３３に接続されていないときには、内部マイクロホン４４からの信号がＡＬＣ回路４５の入力端子に選択的に入力される一方、外部マイクロホン３のプラグ２３がジャック３３に接続されているときには、外部マイクロホン３からの信号がＡＬＣ回路４５の入力端子に選択的に入力される。
【００８７】
ＡＬＣ回路４５は、その入力端子に入力された内部マイクロホン４４又は外部マイクロホン３からの信号を、出力レベルが一定レベルで抑えられるように利得をフィードバック制御して増幅する機能を有する。これにより、マイクロホン４４，３からの音声入力信号のレベルが大きく変化しても、ＡＬＣ回路４５から一定レベルに調整された信号が得られ、いわゆる音割れ等が生じないようになっている。また、本実施の形態では、ＡＬＣ回路４５には使用者の操作により抵抗値が変化する可変抵抗器４６が接続されており、可変抵抗器４６により前記一定レベルを調整し得るようになっている。したがって、本実施の形態では、使用者の操作によりマイクロホンの感度を調整し得るようになっている。ＡＬＣ回路４５の基準端子は接地され、ＡＬＣ回路４５は、前記電源電圧＋ＶＤ２を受けて作動する。
【００８８】
ＡＬＣ回路４５の出力端子は、音響効果付与回路４７の入力端子に接続されている。本実施の形態では、音響効果付与回路４７は、ＡＬＣ回路４５の出力信号に対して音響効果としてのエコーを付加した信号を出力する機能を有している。もっとも、音響効果付与回路４７は、エコーの代わりに、声質変換（ボイスチェンジ）、いわゆるハモリ効果などの、他の音響効果を付与するように構成してもよい。また、音響効果付与回路４７はこれらのうちの１つの効果を付与するように構成してもよいし、使用者の操作に応じて複数の効果のうちから選択した効果を付与するように構成してもよい。このような音響効果付与回路４７は、例えばＤＳＰ（Digital Signal Processor）を用いて構成することができる。音響効果付与回路４７の基準端子は接地され、音響効果付与回路４７は前記電源電圧＋ＶＤ２を受けて作動する。
【００８９】
音響効果付与回路４７の出力端子は、増幅器（第２の増幅器）４８の入力端子に接続されている。これにより、音響効果が付与された音声信号が増幅器４８で増幅され、増幅器４８から単一チャネル信号からなる第２の音響信号として出力される。増幅器４８の基準端子は接地され、増幅器４８の電源端子は前記電源電圧＋ＶＤ２を受けて作動し、これにより、増幅器４８は接地電位を基準としてほぼ０Ｖから＋ＶＤ２の範囲のレベルの信号を出力し得るようになっている。
【００９０】
本実施の形態では、アダプタ装置１には、図１に示すように、切替スイッチ４１を切替端子４１ａ側に倒した後の一定時間増幅器４８の出力を抑制する抑制回路４９が設けられている。この抑制回路４９の一例を図３に示す。この例では、抑制回路４９は、コンデンサ６１，６２、抵抗器６３，６４及びトランジスタ６５が図示のように接続されて構成されている。切替スイッチ４１を切替端子４１ａ側に切り替えた直後には、コンデンサ６１が充電されていないので、抵抗器６４の両端の電圧、すなわち、トランジスタ６５のベース・エミッタ間の電圧は高くなり、トランジスタ６５はオンし、これにより増幅器４８の入力端子がコンデンサ６２を介してプルダウンされる。その結果、増幅器４８の出力が抑制され、切替スイッチ４１による電源投入時のポップ雑音等が低減され、使用者に不快感を与えることがない。そして、切替スイッチ４１を切替端子４１ａ側に切り替えたときからの時間経過に従い、コンデンサ６１及び抵抗器６３，６４によるＣＲ時定数によって、コンデンサ６１が充電されていく。これにより、トランジスタ６５のベース・エミッタ間の電圧は低下していく。やがてこの電圧が所定レベルを下回ると、トランジスタ６５がオフする。その結果、切替スイッチ４１により電源を投入してから一定時間経過後は、増幅器４８は、その出力が抑制されることなく、通常の増幅動作を行う。
【００９１】
本実施の形態では、前述したように、切替スイッチ４１としてノンショーティング型の単極双投スイッチが用いられているので、電源投入時のポップ雑音等を低減するために、抑制回路４９を設けることが好ましい。しかしながら、切替スイッチ４１として、切り替え操作時に一時的に端子４１ａ，４１ｂ，４１ｃが短絡するショーティング型の単極双投スイッチが用いると、抑制回路４９を設けることなく、電源投入時のポップ雑音等を低減することができるので、より好ましい。
【００９２】
ここで、ジャック１３とプラグ３１との間及びジャック３２とプラグ２６との間が接続され、切替スイッチ４１が切替端子４１ａ側に切り替えられた使用状態を考える。
【００９３】
この使用状態における携帯機器２側から見た（すなわち、増幅器１１Ｒ，１１Ｌから出力される第１の音響信号をなす右チャンネル信号及び左チャネル信号に着目した）ヘッドホン駆動等価回路は、図４（ａ）に示す通りとなる。携帯機器２側から見ると、図４（ａ）に示すように、増幅器１１Ｒ，１１Ｌはそれぞれ第１の音響信号をなす右チャンネル信号及び左チャンネル信号を出力する電圧源とみなせる。また、増幅器４８は、その出力側から見た作動時の内部インピーダンスにを有する素子であるとみなせる。
【００９４】
なお、図４（ａ）では、交流成分の経路のみを示しており、直流阻止用コンデンサ１４Ｒ，１４Ｌ，５０は省略している。これらの点は、後述する図４（ｂ）についても同様である。
【００９５】
図４（ａ）からわかるように、増幅器１１Ｒから出力される右チャンネル信号は、ボイスコイル４Ｒ→増幅器４８（小インピーダンス）の経路で、ヘッドホン４の右チャンネル用ボイスコイル４Ｒに供給される。また、増幅器１１Ｌから出力される左チャンネル信号は、ボイスコイル４Ｌ→増幅器４８（小インピーダンス）の経路で、ヘッドホン４の左チャンネル用ボイスコイル４Ｌに供給される。
【００９６】
前記使用状態におけるマイクロホン３，４４側から見た（すなわち、第２の音響信号に着目した）ヘッドホン駆動等価回路は、図４（ｂ）に示す通りとなる。マイクロホン３，４４側から見ると、図４（ｂ）に示すように、増幅器４８は第２の音響信号（単一チャネル信号）を出力する電圧源とみなせる。また、増幅器１１Ｒ，１１Ｌは、その出力側から見た作動時の内部インピーダンスを有する素子であるとみなせる。
【００９７】
図４（ｂ）からわかるように、増幅器４８から出力される第２の音響信号は、同相かつ同振幅で２つに分配され、その一方がボイスコイル４Ｒ→増幅器１１Ｒ（小インピーダンス）の経路で、ヘッドホン４の右チャンネル用ボイスコイル４Ｒに供給され、他方がボイスコイル４Ｌ→増幅器１１Ｌ（小インピーダンス）の経路で、ヘッドホン４の左チャンネル用ボイスコイル４Ｌに供給される。
【００９８】
以上の図４（ａ）及び図４（ｂ）を参照した説明からわかるように、右チャンネル用のボイスコイル４Ｒには、増幅器１１Ｒから出力された右チャンネル信号、及び、増幅器４８から出力された第２の音響信号が、重畳して供給される。これにより、両信号がボイスコイル４Ｒ上で直に合成され、ヘッドホン４のボイスコイル４Ｒから、第１の音響信号のうちの右チャンネル信号が示す音響（例えば、右チャンネルカラオケ楽曲）と単一チャネル信号からなる第２の音響信号が示す音響（例えば、エコーが付与された歌声）とを合成した合成音が、発生される。また、左チャンネル用のボイスコイル４Ｌには、増幅器１１Ｌから出力された第１の音響信号のうちの左チャンネル信号、及び、増幅器４８から出力された単一チャネル信号からなる第２の音響信号が、重畳して供給される。これにより、両信号がボイスコイル４Ｌ上で直に合成され、ヘッドホン４のボイスコイル４Ｌから、第１の音響信号のうちの左チャンネル信号が示す音響（例えば、左チャンネルカラオケ楽曲）と単一チャネル信号からなる第２の音響信号が示す音響（例えば、エコーが付与された歌声）とを合成した合成音が、発生される。したがって、ヘッドホン４を装着した使用者には、カラオケ楽曲等がステレオで聞こえると同時に、ステレオの中央にモノラルの音像として定位した歌声等が聞こえる。
【００９９】
このように、本実施の形態によれば、ミキシング機能を有していない携帯機器２に対してミキシング機能を付加することができ、ミキシング機能を有していない一般の携帯機器２を用いつつ、例えばカラオケ等を手軽かつ廉価に楽しむことができると同時に、例えば本来のカラオケ等と同様の臨場感を得ることができる。
【０１００】
本実施の形態では、従来の音響合成回路で設けられていた合成用増幅器が用いられることなく、増幅器１１Ｒ，１１Ｌから発生される第１の音響信号と増幅器４８から出力される第２の音響信号とがヘッドホン４のボイスコイル４Ｒ，４Ｌ上でそれぞれ直に合成されている。発せられる合成音における第１の音響信号が示す音響（例えば、カラオケ楽曲）を発生させるための電力は、ほとんど損失なく携帯機器２の増幅器１１Ｒ，１１Ｌから供給される。また、発せられる合成音における第２の音響信号が示す音響（例えば、歌声）を発生させるための電力は、ほとんど損失なくアダプタ装置１の増幅器４８から供給される。
【０１０１】
したがって、本実施の形態によれば、合成用増幅器を用いる音響合成回路に比べて電力利用効率が高まり消費電力を低減することができるとともに、第１の音響信号側の装置（本実施の形態では、携帯機器２）と第２の音響信号側の装置（本実施の形態では、アダプタ装置１）との独立性を高めることができる。また、本実施の形態によれば、合成用増幅器が存在しないため、その分のコストを低減することができる。さらに、合成用増幅器が存在しないため、それにより生じる信号の歪み等が回避され、音質が向上する。
【０１０２】
そして、本実施の形態では、前述した図４（ａ）（ｂ）からも理解できるように、前述した従来のアダプタ装置と異なり、増幅器１１Ｒ，１１Ｌからの信号の経路中には抵抗器等の電気抵抗手段が介在しないとともに、増幅器４８からの信号の経路中には抵抗器等の電気抵抗手段が介在しない。したがって、増幅器１１Ｒ，１１Ｌ，４８からの信号の電力は、そのような電気抵抗手段で無駄に消費されることなく、ボイスコイル４Ｒ，４Ｌに供給される。したがって、本実施の形態によれば、前述した従来のアダプタ装置に比べて、電力利用効率を格段に高めることができる。
【０１０３】
また、本実施の形態では、前述した図４（ａ）（ｂ）からも理解できるように、左右のステレオチャンネル間のクロストークは著しく小さくなる。
【０１０４】
さらに、本実施の形態では、増幅器４８を含むアダプタ装置１に対する給電をオンオフする切替スイッチ４１が設けられている。したがって、切替スイッチ４１により給電をオンオフすることで、増幅器１１Ｒ，１１Ｌの作動を継続したまま増幅器４８の作動をオンオフすることができるので、増幅器４８から出力される第２の音響信号が示す音響を選択的にオンオフすることができる。
【０１０５】
すなわち、切替スイッチ４１により給電をオンオフすることで、増幅器１１Ｒ，１１Ｌから出力される第１の音響信号が示す音響と増幅器４８から出力される第２の音響信号が示す音響とを合成した合成音がヘッドホン４のボイスコイル４Ｒ，４Ｌから発する状態と、第１の音響信号が示す音響のみがボイスコイル４Ｒ，４Ｌから発する状態とを、切り替えることができる。よって、本実施の形態によれば、使い勝手が良いとともに、無駄な電力を消費することがない。
【０１０６】
また、本実施の形態によれば、図１から理解できるように、アダプタ装置１が前記機器２に接続されたままであっても、切替スイッチ４１の操作により増幅器４８への電源供給をオフにした場合において、携帯機器２の増幅器１１Ｒ，１１Ｌからの第１の音響信号の一部がアダプタ装置１内で消費されてしまうようなことがない。したがって、本実施の形態では、アダプタ装置１が、電池１２により作動する携帯機器２と接続されているが、アダプタ装置１において切替スイッチ４１により増幅器４８への電源が切られていても、アダプタ装置１を接続しない時と同じ音量を当該携帯機器２で再生するときに携帯機器２の駆動時間はほとんど短くならない。
【０１０７】
さらに、本実施の形態によれば、切替スイッチ４１を切替端子４１ｂ側に切り替えて増幅器４８への電源供給をオフすると、これに連動して、ステレオヘッドホン４のボイスコイル４Ｒ，４Ｌの前記他方の端子に対するジャック３２における接続箇所である端子３２ｂが、増幅器４８の接地に少なくとも交流的に接続される。したがって、増幅器４８の電源が断の場合であっても、増幅器４８の非線形性により楽曲が歪んだりすることがなく、また、携帯機器２の増幅器１１Ｒ，１１Ｌからの第１の音響信号に関してチャネル間のクロストークが生じることがなく、さらに、前記第１の音響信号の振幅が増幅器４８の電源断の前後でほとんど変化しない。
【０１０８】
本実施の形態では、内部マイクロホン４４と外部マイクロホン３の両方を切り換えて使用し得るように構成されているが、いずれか一方のみを使用し得るように構成してもよい。
【０１０９】
なお、本実施の形態によるアダプタ装置１の使用例として、ジャック３２に電気音響変換器としてヘッドホン４を接続した例について説明したが、電気音響変換器セットとして、ヘッドホン４に代えて、例えばスピーカセットを接続してもよい。また、ジャック３２を用いて前記合成音を示す合成信号を外部アンプ等に供給することも可能である。
【０１１０】
なお、例えば、使用者が演奏するギター以外の楽音パート等を携帯機器２の増幅器１１Ｒ，１１Ｌから出力させ、使用者が演奏するギターの音を内部マイクロホン４４又は外部マイクロホン３で拾えば、使用者が演奏するギターと他の楽音パートとの合奏等を楽しんだり、ギターを効果的に練習したりすることができる。
【０１１１】
［第２の実施の形態］
【０１１２】
図５は、本発明の第２の実施の形態によるアダプタ装置８１、並びに、このアダプタ装置８１と共に用いられる携帯機器２、外部マイクロホン３及びステレオヘッドホン４を示す回路図である。図５において、図１乃至図４中の要素と同一又は対応する要素に同一符号を付している部分の重複する説明は省略する。
【０１１３】
本実施の形態が前記第１の実施の形態と異なる所は、端子３２ａ，３２ｂ間に接続された抵抗器５２Ｒと、端子３２ｃ，３２ｂ間に接続された抵抗器５２Ｌと、アダプタ装置本体３０内の接地ラインと端子３１ｂとの間に接続された抵抗器５３Ｒと、アダプタ装置本体３０内の接地ラインと端子３１ｄとの間に接続された抵抗器５３Ｌとが、追加されている点のみである。
【０１１４】
抵抗器５２Ｒ，５２Ｌは、ジャック３２にヘッドホン４のプラグ２６が接続されたときに、ヘッドホン４のボイスコイル４Ｒ，４Ｌにそれぞれ並列に接続されることになる。
【０１１５】
本実施の形態では、抵抗器５２Ｒ，５２Ｌが設けられていることによって、アダプタ装置８１に携帯機器２もヘッドホン４も接続されていない場合に、増幅器４８の出力信号を、抵抗５２Ｒ，５２Ｌをそれぞれ介してプラグ３１やジャック３２から外部に出力することができる。したがって、アダプタ装置８１を、音響効果付与機能付きのマイクロフォン装置としても使用することができ、応用範囲を広げることができ、利便性を向上できる。
【０１１６】
また、抵抗器５３Ｒ，５３Ｌは、プラグ３１に携帯機器２が接続されたときに、携帯機器２の増幅器１１Ｒ，１１Ｌの出力端子と増幅器４８の接地（本実施の形態では、アダプタ装置本体３０内の接地ライン）との間に、交流的にそれぞれ接続されることになる。
【０１１７】
本実施の形態では、抵抗器５３Ｒ，５３Ｌが設けられていることによって、携帯機器２がアダプタ装置８１に接続されていない場合や、接続はされているが携帯機器２の出力増幅器が非動作状態にある場合であっても、増幅器４８から出力される第２の音響信号が示す音響を、ヘッドフォン４により聞くことができる。
【０１１８】
本実施の形態によれば、以上述べた点以外に、前記第１の実施の形態と同様の利点が得られる。
【０１１９】
なお、本発明では、図５において、抵抗器５２Ｒ，５２Ｌを取り除いて抵抗器５３Ｒ，５３Ｌを残してもよいし、逆に、抵抗器５３Ｒ，５３Ｌを取り除いて抵抗器５２Ｒ，５２Ｌを残してもよい。
【０１２０】
［第３の実施の形態］
【０１２１】
図６は、本発明の第３の実施の形態によるアダプタ装置９１、並びに、このアダプタ装置９１と共に用いられる携帯機器２、外部マイクロホン３及びステレオヘッドホン４を示す回路図である。図６において、図５中の要素と同一又は対応する要素に同一符号を付している部分の重複する説明は省略する。
【０１２２】
本実施の形態が前記第２の実施の形態と異なる所は、端子３５ｂ，３２ａ間に抵抗器５４Ｒが接続され、端子３５ｄ，３２ｃ間に抵抗器５４Ｌが接続されている点のみである。
【０１２３】
第１の接続部としてのプラグ３１の端子３１ｂから内部端子３５ｂ及び電気抵抗手段としての抵抗器５４Ｒを介して第２の接続部としてのジャック３２の端子３２ａへ至る接続路が、プラグ３１とジャック１３との間及びプラグ２６とジャック３２との間が接続されたときに、携帯機器２の増幅器１１Ｒから出力される右チャンネル信号が電気抵抗手段としての抵抗器５４Ｒを介してヘッドホン４の右チャンネル用のボイスコイル４Ｒの一方端子に供給されるように、プラグ３１とジャック３２とを連係させる手段を構成している。同様に、第１の接続部としてのプラグ３１の端子３１ｄから内部端子３５ｄ及び電気抵抗手段としての抵抗器５４Ｌを介して第２の接続部としてのジャック３２の端子３２ｃへ至る接続路が、プラグ３１とジャック１３との間及びプラグ２６とジャック３２との間が接続されたときに、携帯機器２の増幅器１１Ｌから出力される左チャンネル信号が電気抵抗手段としての抵抗器５４Ｌを介してヘッドホン４の左チャンネル用のボイスコイル４Ｌの一方端子に供給されるように、プラグ３１とジャック３２とを連係させる手段を構成している。
【０１２４】
本実施の形態によれば、前記経路に抵抗器５４Ｒ，５４Ｌが介在しているので、携帯機器２から誤って過大な信号電力が加えられた場合に、アダプタ装置９１内の増幅器４８を破壊から保護することができる。なお、電力の利用効率をより高めるためには、抵抗器５４Ｒ，５４Ｌの抵抗値は、前記保護機能がある程度得られる範囲内で、できるだけ低い値にすることが好ましい。
【０１２５】
本実施の形態では、前記第１及び第２の実施の形態とは異なり、携帯機器２の増幅器１１Ｒ，１１Ｌからの第１の音響信号の一部、及び、増幅器４８からの第２の音響信号の一部が、抵抗器５４Ｒ，５４Ｌで消費される。しかし、本実施の形態においても、前記第１及び第２の実施の形態と同様に、増幅器４８から端子３２ｂに至る経路には抵抗器等の電気抵抗手段が介在していないので、前述した従来のアダプタ装置に比べると、電力利用効率が高い。
【０１２６】
本実施の形態によれば、以上述べた点以外に、前記第３の実施の形態と同様の利点が得られる。
【０１２７】
なお、本発明では、図６において、抵抗器５２Ｒ，５２Ｌ及び／又は抵抗器５３Ｒ，５３Ｌを取り除いてもよい。
【０１２８】
［第４の実施の形態］
【０１２９】
図７は、本発明の第４の実施の形態によるアダプタ装置７１、並びに、このアダプタ装置７１と共に用いられる携帯機器２、外部マイクロホン３及びステレオヘッドホン４を示す回路図である。図８は、図７に示すアダプタ装置７１、携帯機器２、外部マイクロホン３及びステレオヘッドホン４の使用状態を示す概略図である。図７及び図８において、図１乃至図４中の要素と同一又は対応する要素に同一符号を付している部分の重複する説明は省略する。
【０１３０】
本実施の形態が前記第１の実施の形態と異なる所は、以下に説明する点のみである。
【０１３１】
前記第１の実施の形態によるアダプタ装置１では、ジャック３２がアダプタ装置本体３０に設けられているのに対し、本実施の形態では、図５及び図６に示すように、プラグ３１のみならずジャック３２もアダプタ装置本体３０をなす筐体外に配置されている。
【０１３２】
アダプタ装置本体３０からは１本のケーブル７２が導出されている。ケーブル７２の先が２本のケーブル７３，７４に分かれ、ケーブル７３の先端にジャック３２が設けられ、ケーブル７３の先端にプラグ３１が設けられている。このように、本実施の形態では、ジャック３２はケーブル７３を介してケーブル７２に間接的に機械的に連結され、プラグ３１はケーブル７４を介してケーブル７２に間接的に機械的に連結されている。
【０１３３】
本実施の形態では、ケーブル７２〜７４の芯線が図７に示すように配線されることで、本実施の形態によるアダプタ装置７１も、電気回路的には前記第１の実施の形態によるアダプタ装置１と同一となっている（図７を図１と比較されたい。）。
【０１３４】
このため、本実施の形態によれば、前記第１の実施の形態と同様の利点が得られる他、次の利点も得られる。すなわち、プラグ３１及びジャック３２の配線のためにアダプタ装置本体３０から出るケーブルは、前記第１の実施の形態では、図２に示すようにケーブル３４及びヘッドホンケーブル２５の合計２本であるのに対し、本実施の形態では、図７に示すようにケーブル７２の１本だけですむ。したがって、本実施の形態によれば、前記第１の実施の形態に比べて、使用時の外観やケーブルの取り回しが良くなり、また、タッチノイズ等も低減されるという利点も得られる。
【０１３５】
また、本実施の形態では、使用者はケーブル７２を本体３０から取り外せないようになっているが、例えば、ケーブル７２の基端側にプラグを設けるとともに、内部端子３５ａ〜３５ｄに代えて、当該プラグに接続されるジャックを本体３０に設け、使用者がケーブル７２を本体３０に対して着脱し得るようにしてもよい。
【０１３６】
図９（ａ）には、本実施の形態における本体３０、プラグ３１及びジャック３２の連結体を模式的に示している。また、図９（ｂ）〜（ｅ）には、本体３０、プラグ３１及びジャック３２の連結体の他の各例を模式的に示している。なお、図９（ａ）〜（ｅ）において、矢印Ａは、ジャック３２に対してヘッドホンケーブル２５先端のプラグ２６を挿入する方向を示している。
【０１３７】
図９（ｂ）に示す例では、ケーブル７３の根元がプラグ３１寄りの位置に配置され、ジャック３２に対するプラグ２６の挿入方向が、本実施の形態の場合（図９（ａ）参照）とは逆になっている。
【０１３８】
図９（ｃ）に示す例及び図９（ｄ）に示す例のいずれの例においても、本体３０から導出された一本のケーブルの先端にプラグ３１が設けられ、当該ケーブルの途中にジャック３２が設けられている。ただし、図９（ｃ）に示す例と図９（ｄ）に示す例とでは、ジャック３２に対するプラグ２６の挿入方向が逆になっている。
【０１３９】
図９（ｅ）に示す例では、一体化されたプラグ３１及びジャック３２が、本体３０から導出された一本のケーブルの先端に設けられている。
【０１４０】
なお、図面には示していないが、図９（ｂ）〜（ｅ）に示す各例においても、電気回路的には本実施の形態と同じになるように配線されている。
【０１４１】
本実施の形態を図９（ｂ）〜（ｅ）にそれぞれ示すように変形しても、本実施の形態と同様の利点が得られる。
【０１４２】
［他の使用例］
【０１４３】
図１０は、本発明の第１の実施の形態によるアダプタ装置１、並びに、このアダプタ装置１と共に用いられる携帯機器１０２、外部マイクロホン３及びステレオヘッドホン４を示す回路図である。図１０において、図１中のの要素と同一又は対応する要素に同一符号を付している部分の重複する説明は省略する。
【０１４４】
図１０に示す使用例が図１に示す使用例と異なる所は、携帯機器２に代えて携帯装置１０２が用いられている点のみである。携帯装置１０２が携帯機器２と異なる所は、増幅器７０Ｒ、７０Ｌ及びスピーカ７１Ｌ、７１Ｒが付加されている点のみである。
【０１４５】
携帯機器１０２、アダプタ装置１、ヘッドホン４が接続されて使用されている時、スピーカ７１Ｌ、７１Ｒから、前記第１の音響信号が示す音響（例えば、カラオケ楽曲パート）が発せられる。したがって、周囲の聴取者は、歌唱者の肉声とカラオケ楽曲パートを同時に聴くことができるため、歌唱者の肉声のみが聞こえてカラオケ楽曲パートが聞こえないという不自然な状態を回避することができる。
【０１４６】
［第５の実施の形態］
【０１４７】
図１１は、本発明の第５の実施の形態によるアダプタ装置１０１、並びに、このアダプタ装置１０１と共に用いられる携帯機器２、外部マイクロホン３及びステレオヘッドホン４を示す回路図である。図１１において、図１乃至図４中の要素と同一又は対応する要素に同一符号を付している部分の重複する説明は省略する。
【０１４８】
本実施の形態が前記第１の実施の形態と異なる所は、接続点Ａ１１（コンデンサ５０の一端（増幅器４８とは反対側の端部））とアダプタ装置本体３０内の接地ラインとの間に抵抗器１１１が接続されている点と、端子３５ｂ，３２ａ間に抵抗器１１３Ｒが接続されている点と、端子３５ｄ，３２ｃ間に抵抗器１１３Ｌが接続されている点と、ジャック３２の端子３２ｂが切替スイッチ４１の切替端子４１ｂに接続されずにアダプタ装置本体３０内の接地ラインに接続されている点と、コンデンサ５０の一端（増幅器４８とは反対側の端部）とジャック３２の端子３２ａとの間に抵抗器１１２Ｒが接続されている点と、接続点Ａ１１とジャック３２の端子３２ｃとの間に抵抗器１１２Ｌが接続されている点と、接続点Ａ１１が接続点Ｂ１を介して切替スイッチ４１の切替端子４１ｂに接続されている点のみである。なお、抵抗器１１１は、必ずしも設ける必要はないが、電源スイッチ投入の瞬間から増幅器４８が作動するまでの僅かな期間に増幅器４８が呈する非線形性により前記第１の信号が歪むのを軽減する効果がある。
【０１４９】
本実施の形態では、第１の接続部としてのプラグ３１の端子３１ｂから内部端子３５ｂ及び抵抗器１１３Ｒを介して第２の接続部としてのジャック３２の端子３２ａへ至る接続路が、プラグ３１とジャック１３との間及びプラグ２６とジャック３２との間が接続されたときに、携帯機器２の増幅器１１Ｒから出力される右チャンネル信号が電気抵抗手段としての抵抗器１１３Ｒを介してヘッドホン４の右チャンネル用のボイスコイル４Ｒの一方端子に供給されるように、プラグ３１とジャック３２とを連係させる手段を構成している。同様に、第１の接続部としてのプラグ３１の端子３１ｄから内部端子３５ｄ及び抵抗器１１３Ｌを介して第２の接続部としてのジャック３２の端子３２ｃへ至る接続路が、プラグ３１とジャック１３との間及びプラグ２６とジャック３２との間がそれぞれ接続されたときに、携帯機器２の増幅器１１Ｌから出力される左チャンネル信号が電気抵抗手段としての抵抗器１１３Ｌを介してヘッドホン４の左チャンネル用のボイスコイル４Ｌの一方端子に供給されるように、プラグ３１とジャック３２とを連係させる手段を構成している。
【０１５０】
また、本実施の形態では、増幅器４８の出力端子からコンデンサ５０及び抵抗器１１２Ｒを介して第２の外部接続部としてのジャック３２の端子３２ａまで接続された部分が、ジャック３２とヘッドホン４のプラグ２６との間が接続されたときに、増幅器４８から出力される第２の音響信号が電気抵抗手段としての抵抗器１１２Ｒを介してヘッドホン４の右チャンネル用のボイスコイル４Ｒの前記一方端子に供給されるように、増幅器４８とジャック３２との間を連係させる手段を構成している。同様に、増幅器４８の出力端子からコンデンサ５０及び抵抗器１１２Ｌを介して第２の外部接続部としてのジャック３２の端子３２ｃまで接続された部分が、ジャック３２とヘッドホン４のプラグ２６との間が接続されたときに、増幅器４８から出力される第２の音響信号が電気抵抗手段としての抵抗器１１２Ｌを介してヘッドホン４の左チャンネル用のボイスコイル４Ｌの前記一方端子に供給されるように、増幅器４８とジャック３２との間を連係させる手段を構成している。
【０１５１】
さらに、本実施の形態では、コンデンサ５０の一端（増幅器４８とは反対側の端部）が切替スイッチ４１の切替端子４１ｂに接続されているので、切替スイッチ４１は、増幅器４８への電源供給のオンオフと、増幅器４８の出力端子と増幅器４８の接地との間の交流的な接続のオンオフとを、相補的に連動して切り替えることになる。
【０１５２】
なお、本実施の形態では、前記第１の実施の形態と同様に、切替スイッチ４１としてノンショーティング型の単極双投スイッチが用いられている。しかしながら、切替スイッチ４１としてショーティング型の単極双投スイッチが用いてもよい。この場合、抑制回路４９を設けることなく、電源投入時のポップ雑音等を低減することができる。
【０１５３】
本実施の形態では、抵抗器１１２Ｒ，１１２Ｌ，１１３Ｒ，１１３Ｌが設けられているので、前記特許文献１に開示されたアダプタ装置と同様に前記第１の実施の形態と比べて電力損失等の点で劣る。しかしながら、本実施の形態によれば、切替スイッチ４１が設けられているので、切替スイッチ４１による利点は前記第１の実施の形態と同様に得られる。
【０１５４】
すなわち、本実施の形態によれば、切替スイッチ４１により増幅器４８への電源供給をオンオフすることで、増幅器１１Ｒ，１１Ｌから出力される第１の音響信号が示す音響と増幅器４８から出力される第２の音響信号が示す音響とを合成した合成音がヘッドホン４のボイスコイル４Ｒ，４Ｌから発する状態と、第１の音響信号が示す音響のみがボイスコイル４Ｒ，４Ｌから発する状態とを、切り替えることができる。よって、本実施の形態によれば、使い勝手が良いとともに、無駄な電力を消費することがない。
【０１５５】
また、本実施の形態によれば、切替スイッチ４１を切替端子４１ｂ側に切り替えて増幅器４８への電源供給をオフすると、これに連動して、増幅器４８の出力端子が増幅器４８の接地に交流的に接続される。したがって、増幅器４８の電源が断の場合であっても、増幅器４８の非線形性により楽曲が歪んだりすることがなく、また、携帯機器２の増幅器１１Ｒ，１１Ｌからの第１の音響信号に関してチャネル間のクロストークが生じることがなく、さらに、前記第１の音響信号の振幅が増幅器４８の電源断の前後でほとんど変化しない。
【０１５６】
［第６の実施の形態］
【０１５７】
図１２は、本発明の第６の実施の形態によるアダプタ装置２０１、並びに、このアダプタ装置２０１と共に用いられる携帯機器２、外部マイクロホン３及びステレオヘッドホン４を示す回路図である。図１２において、図１乃至図４中の要素と同一又は対応する要素に同一符号を付している部分の重複する説明は省略する。
【０１５８】
本実施の形態が前記第１の実施の形態と異なる所は、図１２中の接続点Ａ１２と切替スイッチ４１の端子４１Ｂとの間に、増幅器４８の作動中の出力インピーダンスと略同じインピーダンス（例えば、１Ω）を持つインピーダンス手段としての抵抗器１５１が接続されている点のみである。この場合、切替スイッチ４１の端子４１ｂ，４１ｃ間がオンオフすることで、ステレオヘッドホン４のボイスコイル４Ｒ，４Ｌの前記他方の端子に対するジャック３２における接続箇所である端子３２ｂと、接地ラインとの間の、抵抗器１５１を介した接続が、オンオフする。
【０１５９】
本実施の形態によれば、前記第１の実施の形態と同様の効果が得られる。また、本実施の形態によれば、増幅器４８の作動中の出力インピーダンスと略同じインピーダンスを持つ抵抗器１５１が設けられているので、切替スイッチ４１の端子４１ｂと接地との間のインピーダンスの、切替スイッチ４１の切り替えの前後の変化は、前記第１の実施の形態に比べてより一層小さくなる。したがって、本実施の形態によれば、ヘッドホン４の各ボイスコイル４Ｒ，４Ｌ上に合成される携帯機器２の増幅器１１Ｒ，１１Ｌからの第１の音響信号の振幅の、増幅器４８の電源断の前後の変化は、前記第１の実施の形態に比べてより一層小さくなる。このため、本実施の形態によれば、切替スイッチ４１の切り替えによるクリック雑音を、前記第１の実施の形態に比べてより一層低減させることができる。
【０１６０】
［第７の実施の形態］
【０１６１】
図１３は、本発明の第７の実施の形態によるアダプタ装置３０１、並びに、このアダプタ装置３０１と共に用いられる携帯機器２、外部マイクロホン３及びステレオヘッドホン４を示す回路図である。図１３において、図１１中の要素と同一又は対応する要素に同一符号を付している部分の重複する説明は省略する。
【０１６２】
本実施の形態が図１１に示す前記第５の実施の形態と異なる所は、図１３中の接続点Ｂ１３と切替スイッチ４１の端子４１Ｂとの間に、増幅器４８の作動中の出力インピーダンスと略同じインピーダンス（例えば、１Ω）を持つインピーダンス手段としての抵抗器１５２が接続されている点のみである。この場合、切替スイッチ４１の端子４１ｂ，４１ｃ間がオンオフすることで、増幅器４８の出力端子と増幅器４８の接地との間の、抵抗器１５２を介した接続が、オンオフする。なお、図１３中の抵抗１１１は必ずしも設ける必要はない。
【０１６３】
本実施の形態によれば、前記第５の実施の形態と同様の効果が得られる。また、本実施の形態によれば、増幅器４８の作動中の出力インピーダンスと略同じインピーダンスを持つ抵抗器１５２が設けられているので、増幅器４８の出力端子と増幅器４８の接地との間のインピーダンスの、切替スイッチ４１の切り替えの前後の変化は、前記第５の実施の形態に比べてより一層小さくなる。したがって、本実施の形態によれば、ヘッドホン４の各ボイスコイル４Ｒ，４Ｌ上に合成される携帯機器２の増幅器１１Ｒ，１１Ｌからの第１の音響信号の振幅の、増幅器４８の電源断の前後の変化は、前記第５の実施の形態に比べてより一層小さくなる。このため、本実施の形態によれば、切替スイッチ４１の切り替えによるクリック雑音を、前記第５の実施の形態に比べてより一層低減させることができる。
【０１６４】
以上、本発明の各実施の形態等について説明したが、本発明はこれらの実施の形態等に限定されるものではない。
【０１６５】
例えば、前記各実施の形態において、外部マイクロホン３及びヘッドホン４の代わりに、これらの機能を併有するいわゆるイヤホンマイクを用いてもよい。
【０１６６】
また、前述した図１、図５、図６、図７、図１０、図１１，図１２及び図１３にそれぞれ示す各実施の形態において、例えば、増幅器４８の出力端子と接続点Ａ１、Ａ５，Ａ６，Ａ７，Ａ１０，Ａ１１，Ａ１２又はＡ１３との間に、コンデンサ５０と直列に電気抵抗手段としての抵抗器を挿入してもよい。この場合においても、前記切替スイッチ４１を設けたことによる前述した利点は得ることができる。なお、このようにコンデンサ５０と直列に挿入する抵抗器の抵抗値は、チャネル間の分離を損なわない範囲で、増幅器４８を保護することができる程度に設定することが、好ましい。
【０１６７】
さらに、前述した図５、図６、図７及び図１０にそれぞれ示す各実施の形態において、例えば、接続点Ｂ５，Ｂ６，Ａ７又はＢ１０と切替スイッチ４１の端子４１ｂとの間に、増幅器４８の作動中の出力インピーダンスと略同じインピーダンスを持つインピーダンス手段としての抵抗器を設けてもよい。この場合には、前述した第６の実施の形態と同様に、切替スイッチ４１の切り替えによるクリック雑音を、前記第５の実施の形態に比べてより一層低減させることができる。
【図面の簡単な説明】
【０１６８】
【図１】本発明の第１の実施の形態によるアダプタ装置等を示す回路図である。
【図２】図１に示すアダプタ装置等の使用状態を示す概略図である。
【図３】抑制回路の一例を示す回路図である。
【図４】図１に示す回路中の各側から見たヘッドホン駆動等価回路を示す回路図である。
【図５】本発明の第２の実施の形態によるアダプタ装置等を示す回路図である。
【図６】本発明の第３の実施の形態によるアダプタ装置等を示す回路図である。
【図７】本発明の第４の実施の形態によるアダプタ装置等を示す回路図である。
【図８】図７に示すアダプタ装置等の使用状態を示す概略図である。
【図９】本体、プラグ及びジャックの連結体の各例を模式的に示す図である。
【図１０】本発明の第１の実施の形態によるアダプタ装置の他の使用例を示す回路図である。
【図１１】本発明の第５の実施の形態によるアダプタ装置等を示す回路図である。
【図１２】本発明の第６の実施の形態によるアダプタ装置等を示す回路図である。
【図１３】本発明の第７の実施の形態によるアダプタ装置等を示す回路図である。
【符号の説明】
【０１６９】
１，７１，８１，９１，１０１，２０１，３０１  アダプタ装置
２，１０２  携帯機器
３  外部マイクロホン
４  ステレオヘッドホン
４Ｒ，４Ｌ  ボイスコイル
１１Ｒ，１１Ｌ，４８  増幅器
１２，５１  電池
１３  ジャック
３０  アダプタ装置本体
３１  プラグ（第１の接続部）
３２  ジャック（第２の接続部）
３３  ジャック
３４  ケーブル
４１  切替スイッチ４１
４４  内部マイクロホン
４５  ＡＬＣ回路
４７  音響効果付与回路
４９  抑制回路
【図１】
2007235916.tif 000003
【図２】
2007235916.tif 000004
【図３】
2007235916.tif 000005
【図４】
2007235916.tif 000006
【図５】
2007235916.tif 000007
【図６】
2007235916.tif 000008
【図７】
2007235916.tif 000009
【図８】
2007235916.tif 000010
【図９】
2007235916.tif 000011
【図１０】
2007235916.tif 000012
【図１１】
2007235916.tif 000013
【図１２】
2007235916.tif 000014
【図１３】
2007235916.tif 000015